(57)【要約】      （修正有）【課題】車両の室内空間を暖房するための消費電力量を小さくする車両空調装置を提供する。【解決手段】車両の室内空間を暖房する熱源となるヒータコア１１と、ヒータコアを加熱するヒートポンプ装置３０と、作動媒体を貯留する貯留器５１と、ガス状の作動媒体との反応により熱を発生する発熱材５２Ｍを収容した発熱器５２と、を含む発熱装置５０を備える。発熱器は、発熱材が発生する熱によりヒータコアを加熱するように配設される。発熱材は、作動媒体をガス状から液状に変化させて吸着する吸着反応を行い、作動媒体をガス状から液状に変化させたときに作動媒体から放出される潜熱により熱を発生する。本発明に係る空調装置は、車両の室内空間の暖房が要求された場合、ヒートポンプ装置のコンプレッサ３１を作動させてヒータコアを加熱すると共に発熱材の温度が所定温度に達するまでの間の少なくとも一部の期間、貯留器と発熱器とを連通させる。【選択図】図２
2020063021.tif 000002
【特許請求の範囲】
【請求項１】
車両の室内空間を暖房するための熱源となるヒータコアと、該ヒータコアを加熱するためのヒートポンプ装置と、該ヒートポンプ装置の作動を制御する制御手段と、を備え、
前記制御手段は、前記室内空間を暖房することが要求された場合、前記ヒートポンプ装置のコンプレッサを作動させて前記ヒータコアを加熱するように構成されている、
車両の空調装置において、
作動媒体を貯留する貯留器と、該貯留器から供給されるガス状の前記作動媒体との反応により熱を発生する発熱材を収容した発熱器と、前記貯留器と前記発熱器とを連通させる連通手段と、を含む発熱装置を更に備え、
前記発熱器は、前記発熱材が発生する熱により前記ヒータコアを加熱するように配設されており、
前記発熱材は、前記ガス状の作動媒体を液状の作動媒体に変化させて吸着する吸着反応と、その吸着した前記液状の作動媒体を前記ガス状の作動媒体に変化させて放出する放出反応と、を行い、前記ガス状の作動媒体を前記液状の作動媒体に変化させたときに前記作動媒体から放出される潜熱により熱を発生する特性、及び、当該発熱材の温度が高いほど当該発熱材への前記作動媒体の吸着速度が小さくなると共に当該発熱材からの前記作動媒体の放出速度が大きくなる特性、を有し、
前記制御手段は、前記室内空間を暖房することが要求された場合、前記発熱材の温度が所定温度に達するまでの間の少なくとも一部の期間、前記貯留器と前記発熱器とを前記連通手段によって連通させるように構成されている、
車両の空調装置。
【発明の詳細な説明】
【技術分野】
【０００１】
本発明は、車両の空調装置に関する。
【背景技術】
【０００２】
車両の室内空間を暖房するための熱源としてヒートポンプ装置を利用する空調装置が知られている（例えば、特許文献１を参照。）。この空調装置（以下、「従来装置」と称呼する。）は、ヒータコアに供給される熱交換水をヒートポンプ装置により加熱し、その加熱された熱交換水をヒータコアに供給することによりヒータコアを加熱する。従来装置は、ブロアによりヒータコアに空気を当てて暖めた空気を車両の室内空間に供給することにより車両の室内空間を暖房する。
【先行技術文献】
【特許文献】
【０００３】
【特許文献１】特開２０１０−１３０４４号公報
【発明の概要】
【０００４】
車両の室内空間の暖房が要求された時点における熱交換水の温度は、比較的低い。従って、ヒータコアの温度を車両の室内空間の暖房に適した温度まで短い時間で上昇させるためには、従来装置は、車両の室内空間の暖房が要求されてから一定の期間、ヒートポンプ装置のコンプレッサの出力を大きい出力に維持する必要がある。しかしながら、これによると、コンプレッサの作動に消費される電力の量が大きくなってしまう。
【０００５】
本発明は、上述した課題に対処するためになされたものである。即ち、本発明の目的の１つは、車両の室内空間を暖房するためのヒートポンプ装置のコンプレッサの作動に消費される電力の量が小さい車両の空調装置を提供することにある。
【０００６】
本発明に係る車両の空調装置は、車両（１００）の室内空間（１０１）を暖房するための熱源となるヒータコア（１１）と、該ヒータコアを加熱するためのヒートポンプ装置（３０）と、該ヒートポンプ装置の作動を制御する制御手段（９０）と、を備える。
【０００７】
前記制御手段（９０）は、前記室内空間（１０１）を暖房することが要求された場合（図１０のステップ１００５にて「Ｙｅｓ」と判定される場合を参照。）、前記ヒートポンプ装置のコンプレッサ（３１）を作動させて前記ヒータコア（１１）を加熱する（図１０のステップ１０１０の処理を参照。）ように構成されている。
【０００８】
本発明に係る車両の空調装置は、作動媒体を貯留する貯留器（５１）と、該貯留器から供給されるガス状の前記作動媒体との反応により熱を発生する発熱材（５２Ｍ）を収容した発熱器（５２）と、前記貯留器と前記発熱器とを連通させる連通手段（６１、５５）と、を含む発熱装置（５０）を更に備える。
【０００９】
前記発熱器（５２）は、前記発熱材（５２Ｍ）が発生する熱により前記ヒータコア（１１）を加熱するように配設されている。
【００１０】
前記発熱材（５２Ｍ）は、前記ガス状の作動媒体を液状の作動媒体に変化させて吸着する吸着反応と、その吸着した前記液状の作動媒体を前記ガス状の作動媒体に変化させて放出する放出反応と、を行い、前記ガス状の作動媒体を前記液状の作動媒体に変化させたときに前記作動媒体から放出される潜熱により熱を発生する特性を有する。
【００１１】
更に、前記発熱材（５２Ｍ）は、当該発熱材の温度（Ｔｍ）が高いほど当該発熱材への前記作動媒体の吸着速度が小さくなると共に当該発熱材からの前記作動媒体の放出速度が大きくなる特性を有する。
【００１２】
前記制御手段（９０）は、前記室内空間（１０１）を暖房することが要求された場合（図１０のステップ１００５にて「Ｙｅｓ」と判定される場合を参照。）、前記発熱材（５２M）の温度（Ｔｍ）が所定温度（Ｔm_recover）に達するまでの間の少なくとも一部の期間（図１０のステップ１０２５にて「Ｙｅｓ」と判定される場合を参照。）、前記連通手段（６１、５５）によって前記貯留器（５１）と前記発熱器（５２）とを連通させる（図１０のステップ１０３０の処理を参照。）ように構成されている。
【００１３】
車両の室内空間の暖房が要求されたときにヒートポンプ装置のみによってヒータコアを加熱するようになっている場合、ヒータコアの温度を、車両の室内空間の暖房を開始するのに望ましい温度（以下、「暖房開始温度」と称呼する。）まで短い時間で上昇させるためには、ヒートポンプ装置のコンプレッサの出力を大きくする必要がある。コンプレッサの出力を大きくすると、ヒータコアの温度を暖房開始温度まで上昇させるためのコンプレッサの作動に消費される電力の量が大きくなってしまう。
【００１４】
一方、本発明に係る車両の空調装置によれば、車両の室内空間の暖房が要求された場合、発熱材の温度が所定温度に達するまでの間の少なくとも一部の期間、貯留器と発熱器とが連通される。貯留器と発熱器とが連通されると、ガス状の作動媒体が貯留器から発熱器に供給される。そして、貯留器と発熱器とが連通されてから発熱材の温度が所定温度に達するまでの発熱材の温度は比較的低く、従って、発熱材へのガス状の作動媒体の吸着速度が比較的大きい。このため、貯留器と発熱器とが連通されている期間、貯留器から発熱器へのガス状の作動媒体の流入と、発熱材へのガス状の作動媒体の吸着と、が継続し、その結果、発熱材が熱を発生し続ける。従って、貯留器と発熱器とが連通されている間、ヒータコアは、ヒートポンプ装置と発熱材との両方によって加熱される。
【００１５】
このため、ヒータコアの温度を暖房開始温度まで短い時間で上昇させるためにコンプレッサの出力を大きくする必要はない。従って、車両の室内空間を暖房するためのヒートポンプ装置のコンプレッサの作動に消費される電力の量を小さくすることができる。
【００１６】
上記説明においては、発明の理解を助けるために、実施形態に対応する発明の構成に対して、実施形態で用いた符号を括弧書きで添えているが、発明の各構成要素は、前記符号によって規定される実施形態に限定されるものではない。本発明の他の目的、他の特徴及び付随する利点は、以下の図面を参照しつつ記述される本発明の実施形態についての説明から容易に理解されるであろう。
【図面の簡単な説明】
【００１７】
【図１】図１は、本発明の実施形態に係る空調装置が適用される車両を示した図である。
【図２】図２は、本発明の実施形態に係る空調装置を示した図である。
【図３】図３は、発熱材の温度と発熱材への作動媒体の吸着速度及び発熱材からの作動媒体の放出速度との関係を示した図である。
【図４】図４は、図２と同様の図であって、暖房ポンプが作動されたときの熱交換水の流れを示した図である。
【図５】図５は、図２と同様の図であって、車両の室内空間の暖房のためにコンプレッサが作動されたときの冷媒の流れを示した図である。
【図６】図６は、図２と同様の図であって、車両の室内空間の冷房のためにコンプレッサが作動されたときの冷媒の流れを示した図である。
【図７】図７は、図２と同様の図であって、作動媒体が貯留器から発熱器に供給されるときの発熱装置の作用を説明するための図である。
【図８】図８は、図２と同様の図であって、作動媒体が発熱器から凝縮器に回収されるときの発熱装置の作用を説明するための図である。
【図９】図９は、図２と同様の図であって、作動媒体が凝縮器から貯留器に輸送されるときの発熱装置の作用を説明するための図である。
【図１０】図１０は、図２に示したＥＣＵのＣＰＵが実行するルーチンを示したフローチャートである。
【図１１】図１１は、図２に示したＥＣＵのＣＰＵが実行するルーチンを示したフローチャートである。
【図１２】図１２は、図２に示したＥＣＵのＣＰＵが実行するルーチンを示したフローチャートである。
【発明を実施するための形態】
【００１８】
以下、図面を参照しながら本発明の実施形態に係る車両の空調装置（以下、「実施装置」と称呼する。）について説明する。実施装置は、図１に示した車両１００に適用される。車両１００は、内燃機関１１０、第１モータジェネレータ１１１、第２モータジェネレータ１１２、バッテリ１２０、パワーコントロールユニット１３０及び動力分割機構１４０等を含んでいる。
【００１９】
第１モータジェネレータ１１１（以下、「第１ＭＧ１１１」と称呼する。）及び第２モータジェネレータ１１２（以下、「第２ＭＧ１１２」と称呼する。）は、それぞれ、永久磁石式同期電動機である。第１ＭＧ１１１及び第２ＭＧ１１２は、パワーコントロールユニット１３０のインバータ１３１（図２を参照。）を介してバッテリ１２０と接続されている。パワーコントロールユニット１３０（以下、「ＰＣＵ１３０」と称呼する。）は、インバータ１３１の他に、昇圧コンバータ及びＤＣ／ＤＣコンバータ等を含んでいる。
【００２０】
第１ＭＧ１１１は、入出力軸１５１を介して動力分割機構１４０に接続されている。第１ＭＧ１１１は、主にジェネレータ（発電機）として用いられる。第１ＭＧ１１１がジェネレータとして用いられる場合、車両の走行エネルギー又は機関トルク等の外力によってその回転軸が回転され、電力を生成する。生成された電力は、ＰＣＵ１３０のインバータ１３１を介してバッテリ１２０に充電される。尚、第１ＭＧ１１１は、モータ（発電機）としても用いられる。第１ＭＧ１１１がモータとして用いられる場合、第１ＭＧ１１１は、ＰＣＵ１３０のインバータ１３１を介してバッテリ１２０から供給される電力によって駆動される。
【００２１】
第２ＭＧ１１２は、入出力軸１５２を介して動力分割機構１４０に接続されている。第２ＭＧ１１２は、主にモータ（電動機）として用いられる。第２ＭＧ１１２がモータとして用いられる場合、第２ＭＧ１１２は、ＰＣＵ１３０のインバータ１３１を介してバッテリ１２０から供給される電力によって駆動される。尚、第２ＭＧ１１２は、ジェネレータ（発電機）としても用いられる。第２ＭＧ１１２がジェネレータとして用いられる場合、第２ＭＧ１１２は、上記外力によってその回転軸が回転され、電力を生成する。生成された電力は、ＰＣＵ１３０のインバータ１３１を介してバッテリ１２０に充電される。
【００２２】
本例において、車両１００は、外部電源からバッテリ１２０に電力を充電可能には構成されていないが、外部電源からバッテリ１２０に電力を充電可能に構成されていてもよい。
【００２３】
動力分割機構１４０は、例えば、遊星歯車機構である。動力分割機構１４０は、内燃機関１１０（以下、単に「機関１１０」と称呼する。）から出力軸１５０を介して動力分割機構１４０に入力されるトルクを「動力分割機構１４０及び車輪駆動軸１６０を介して左右の前輪１７０に入力されるトルク」と「第１ＭＧ１１１を発電機として駆動するために第１ＭＧ１１１に入出力軸１５１を介して入力されるトルク」とに所定割合（所定の分割特性）で分割する。
【００２４】
更に、動力分割機構１４０は、「第２ＭＧ１１２から入出力軸１５２を介して動力分割機構１４０に入力されるトルク」を車輪駆動軸１６０を介して左右の前輪１７０に伝達する。動力分割機構１４０は公知である（例えば、特開２０１３−１７７０２６号公報等を参照。）。
【００２５】
＜実施装置の構成＞
実施装置は、暖房装置１０、ヒートポンプ装置３０、発熱装置５０、ブロア７０及びＥＣＵ９０を備える。
【００２６】
ＥＣＵは、エレクトロニックコントロールユニットの略称である。ＥＣＵ９０は、マイクロコンピュータを主要部として備える。マイクロコンピュータは、ＣＰＵ、ＲＯＭ、ＲＡＭ、不揮発性メモリ及びインターフェース等を含む。ＣＰＵは、ＲＯＭに格納されたインストラクション（プログラム、ルーチン）を実行することにより各種機能を実現するようになっている。
【００２７】
＜暖房装置＞
暖房装置１０は、ヒータコア１１、暖房熱交換器１２、暖房ポンプ１３、及び、第１暖房水路２１乃至第５暖房水路２５を備える。暖房装置１０は、車両１００の室内空間１０１を暖房するための装置である。
【００２８】
ヒータコア１１及び暖房熱交換器１２には、それぞれ、熱交換水を流すための水路（以下、「内部水路」と称呼する。）が形成されている。第１暖房水路２１乃至第５暖房水路２５は、それぞれ、熱交換水を流すための水路である。
【００２９】
第１暖房水路２１は、暖房ポンプ１３の熱交換水吐出口を暖房熱交換器１２の内部水路の熱交換水入口に接続している。第２暖房水路２２は、暖房熱交換器１２の内部水路の熱交換水出口をヒータコア１１の内部水路の熱交換水入口に接続している。第３暖房水路２３は、ヒータコア１１の内部水路の熱交換水出口を第４暖房水路２４の熱交換水入口に接続している。第４暖房水路２４は、後に詳述するヒートポンプ装置３０のコンデンサ３２の内部に形成された水路である。第５暖房水路２５は、第４暖房水路２４の熱交換水出口を暖房ポンプ１３の熱交換水取込口に接続している。
【００３０】
暖房ポンプ１３は、ＥＣＵ９０に電気的に接続されている。ＥＣＵ９０は、暖房ポンプ１３の作動を制御する。暖房ポンプ１３は、バッテリ１２０から供給される電力により作動される。
【００３１】
後述するように、車両１００の室内空間１０１の暖房が要求された場合、ＥＣＵ９０は、暖房ポンプ１３を作動させる。これによると、熱交換水は、図４に矢印で示したように流れる。
【００３２】
即ち、暖房ポンプ１３が作動されると、暖房ポンプ１３から第１暖房水路２１に熱交換水が吐出される。その熱交換水は、第１暖房水路２１を介して暖房熱交換器１２の内部水路に流入する。その熱交換水は、暖房熱交換器１２の内部水路を流れた後、第２暖房水路２２に流出する。その熱交換水は、第２暖房水路２２を介してヒータコア１１の内部水路に流入する。その熱交換水は、ヒータコア１１の内部水路を流れた後、第３暖房水路２３に流出する。その熱交換水は、第３暖房水路２３を介して第４暖房水路２４に流入する。その熱交換水は、第４暖房水路２４を流れた後、第５暖房水路２５に流出する。その熱交換水は、第５暖房水路２５を介して暖房ポンプ１３に取り込まれる。
【００３３】
＜ヒートポンプ装置＞
ヒートポンプ装置３０は、コンプレッサ３１、コンデンサ３２、エバポレータ３３、第１熱交換器３４Ａ、第２熱交換器３４Ｂ、第１遮断弁３５Ａ、第２遮断弁３５Ｂ、第１膨張弁３６Ａ、第２膨張弁３６Ｂ、ラジエータ３７、ファン３８、及び、第１冷媒通路４１乃至第９冷媒通路４９を備える。
【００３４】
コンデンサ３２、エバポレータ３３、第１熱交換器３４Ａ、第２熱交換器３４Ｂ、及び、ラジエータ３７には、それぞれ、冷媒を流すための通路（以下、「内部通路」と称呼する。）が形成されている。第１冷媒通路４１乃至第９冷媒通路４９は、それぞれ、冷媒を流すための通路である。
【００３５】
第１冷媒通路４１は、コンプレッサ３１の冷媒吐出口をコンデンサ３２の内部通路の冷媒入口に接続している。第２冷媒通路４２は、コンデンサ３２の内部通路の冷媒出口を第１熱交換器３４Ａの内部通路の冷媒入口に接続している。第３冷媒通路４３は、第１熱交換器３４Ａの内部通路の冷媒出口をラジエータ３７の内部通路の冷媒入口に接続している。第４冷媒通路４４は、ラジエータ３７の内部通路の冷媒出口を第５冷媒通路４５及び第７冷媒通路４７に接続している。
【００３６】
第５冷媒通路４５は、第４冷媒通路４４を第２熱交換器３４Ｂの内部通路の冷媒入口に接続している。第６冷媒通路４６は、第２熱交換器３４Ｂの内部通路の冷媒出口を第９冷媒通路４９に接続している。第７冷媒通路４７は、第４冷媒通路４４をエバポレータ３３の内部通路の冷媒入口に接続している。第８冷媒通路４８は、エバポレータ３３の内部通路の冷媒出口を第９冷媒通路４９に接続している。第９冷媒通路４９は、第６冷媒通路４６及び第８冷媒通路４８をコンプレッサ３１の冷媒取込口に接続している。
【００３７】
第１遮断弁３５Ａは、第５冷媒通路４５に配設されている。第２遮断弁３５Ｂは、第７冷媒通路４７に配設されている。第１膨張弁３６Ａは、第３冷媒通路４３に配設されている。第２膨張弁３６Ｂは、第２遮断弁３５Ｂとエバポレータ３３との間の第７冷媒通路４７に配設されている。
【００３８】
ファン３８は、ラジエータ３７に空気を当てることができるようにラジエータ３７に近接して配設されている。
【００３９】
コンプレッサ３１、第１遮断弁３５Ａ、第２遮断弁３５Ｂ、第１膨張弁３６Ａ、第２膨張弁３６Ｂ、及び、ファン３８は、ＥＣＵ９０に電気的に接続されている。コンプレッサ３１及びファン３８の作動は、ＥＣＵ９０によって制御される。コンプレッサ３１及びファン３８は、バッテリ１２０から供給される電力により作動される。第１遮断弁３５Ａ及び第２遮断弁３５Ｂの設定位置は、ＥＣＵ９０によって制御される。第１膨張弁３６Ａ及び第２膨張弁３６Ｂの作動状態は、ＥＣＵ９０によって制御される。
【００４０】
後述するように、車両１００の室内空間１０１の暖房が要求された場合、ＥＣＵ９０は、第１遮断弁３５Ａを開弁位置に設定し且つ第２遮断弁３５Ｂを閉弁位置に設定した状態でコンプレッサ３１を作動させる。これによると、冷媒は、図５に矢印で示したように流れる。
【００４１】
即ち、コンプレッサ３１が作動されると、コンプレッサ３１から第１冷媒通路４１に冷媒が吐出される。その冷媒は、第１冷媒通路４１を介してコンデンサ３２の内部通路に流入する。その冷媒は、コンデンサ３２の内部通路を流れた後、第２冷媒通路４２に流出する。その冷媒は、第２冷媒通路４２を介して第１熱交換器３４Ａの内部通路に流入する。その冷媒は、第１熱交換器３４Ａの内部通路を流れた後、第３冷媒通路４３に流出する。その冷媒は、第３冷媒通路４３を介してラジエータ３７の内部通路に流入する。冷媒は、第３冷媒通路４３を流れる間に第１膨張弁３６Ａを通る。
【００４２】
ラジエータ３７の内部通路に流入した冷媒は、ラジエータ３７の内部通路を流れた後、第４冷媒通路４４に流出する。その冷媒は、第４冷媒通路４４を介して第５冷媒通路４５に流入する。その冷媒は、第５冷媒通路４５を介して第２熱交換器３４Ｂの内部通路に流入する。冷媒は、第５冷媒通路４５を流れる間に第１遮断弁３５Ａを通過する。
【００４３】
第２熱交換器３４Ｂの内部通路に流入した冷媒は、第２熱交換器３４Ｂの内部通路を流れた後、第６冷媒通路４６に流入する。その冷媒は、第６冷媒通路４６を介して第９冷媒通路４９に流入する。その冷媒は、第９冷媒通路４９を介してコンプレッサ３１に取り込まれる。
【００４４】
一方、後述するように、車両１００の室内空間１０１の冷房が要求された場合、ＥＣＵ９０は、第１遮断弁３５Ａを閉弁位置に設定し且つ第２遮断弁３５Ｂを開弁位置に設定した状態でコンプレッサ３１を作動させる。これによると、冷媒は、図６に矢印で示したように流れる。
【００４５】
即ち、コンプレッサ３１が作動されると、コンプレッサ３１から第１冷媒通路４１に冷媒が吐出される。その冷媒は、第１冷媒通路４１を介してコンデンサ３２の内部通路に流入する。その冷媒は、コンデンサ３２の内部通路を流れた後、第２冷媒通路４２に流出する。その冷媒は、第２冷媒通路４２を介して第１熱交換器３４Ａの内部通路に流入する。その冷媒は、第１熱交換器３４Ａの内部通路を流れた後、第３冷媒通路４３に流出する。その冷媒は、第３冷媒通路４３を介してラジエータ３７の内部通路に流入する。冷媒は、第３冷媒通路４３を流れる間に第１膨張弁３６Ａを通る。
【００４６】
ラジエータ３７の内部通路に流入した冷媒は、ラジエータ３７の内部通路を流れた後、第４冷媒通路４４に流出する。その冷媒は、第４冷媒通路４４を介して第７冷媒通路４７に流入する。その冷媒は、第７冷媒通路４７を介してエバポレータ３３の内部通路に流入する。冷媒は、第７冷媒通路４７を流れる間に第２遮断弁３５Ｂ及び第２膨張弁３６Ｂを通過する。
【００４７】
エバポレータ３３の内部通路に流入した冷媒は、エバポレータ３３の内部通路を流れた後、第８冷媒通路４８に流入する。その冷媒は、第８冷媒通路４８を介して第９冷媒通路４９に流入する。その冷媒は、第９冷媒通路４９を介してコンプレッサ３１に取り込まれる。
【００４８】
後述するように、車両１００の室内空間１０１の暖房又は冷房が要求された場合、ＥＣＵ９０は、ファン３８を作動させる。
【００４９】
＜発熱装置＞
発熱装置５０は、貯留器５１、発熱器５２、凝縮器５３、媒体輸送ポンプ５４、媒体供給弁５５、媒体回収弁５６、媒体輸送弁５７、及び、第１媒体通路６１乃至第４媒体通路６４を備える。
【００５０】
貯留器５１は、第１熱交換器３４Ａとの間で熱交換可能なように第１熱交換器３４Ａに隣接して配設されている。貯留器５１内には、後に述べるようにヒータコア１１の加熱に用いられる作動媒体が貯留されている。
【００５１】
作動媒体としては、第１熱交換器３４Ａの内部通路を流れる冷媒によって貯留器５１が加熱されたときに到達し得る作動媒体の温度以下の温度においてガス状となる媒体であって、第２熱交換器３４Ｂを流れる冷媒によって凝縮器５３が冷却されたときに到達し得る作動媒体の温度以上の温度において液状となる媒体が用いられる。作動媒体としては、例えば、水、アンモニア、メタノール及びエタノール等のアルコール、二酸化炭素、並びに、三酸化硫黄の何れか又は２つ以上を用いることができる。
【００５２】
更に、貯留器５１内に貯留される作動媒体の量は、後述するように媒体供給弁５５が開弁位置に設定されたときに発熱材５２Ｍの温度Ｔｍ（以下、「発熱材温度Ｔｍ」と称呼する。）を後述する媒体回収温度Ｔm_recoverに到達させることができる量の作動媒体が貯留器５１から発熱器５２に供給される量に設定される。本例においては、貯留器５１内の作動媒体の一部は、少なくとも、貯留器５１内の温度が常温である場合、液状の作動媒体として貯留されている。
【００５３】
発熱器５２は、暖房熱交換器１２との間で熱交換可能なように暖房熱交換器１２に隣接して配設されている。発熱器５２内には、発熱材５２Ｍが収容されている。発熱材５２Ｍは、ガス状の作動媒体を液状の作動媒体に変化させて物理的に吸着し且つ吸着した液状の作動媒体をガス状の作動媒体に変化させて放出する特性を有している。別の言い方をすれば、発熱材５２Ｍは、作動媒体の状態を気相から液相に相変化させて作動媒体を物理的に吸着し且つ吸着した作動媒体の状態を液相から気相に相変化させて作動媒体を放出する特性を有している。
【００５４】
図３に示したように、発熱材５２Ｍは、それ自身の温度Ｔｍが高くなるほどガス状の作動媒体を吸着する速度（即ち、単位時間当たりに吸着するガス状の作動媒体の量であり、以下、「発熱材５２Ｍへの作動媒体の吸着速度」と称呼する。）が小さくなると共にガス状の作動媒体を放出する速度（即ち、単位時間当たりに放出するガス状の作動媒体の量であり、以下、「発熱材５２Ｍからの作動媒体の放出速度」と称呼する。）が大きくなる特性を有している。
【００５５】
そして、発熱材温度Ｔｍが或る温度Ｔｍ_crossよりも低い場合、発熱材５２Ｍからの作動媒体の放出速度よりも発熱材５２Ｍへの作動媒体の吸着速度のほうが大きく、発熱材温度Ｔｍが上記或る温度Ｔｍ_crossである場合、上記吸着速度と上記放出速度とが互いに等しく、発熱材温度Ｔｍが上記或る温度Ｔｍ_crossよりも高い場合、上記吸着速度よりも上記放出速度のほうが大きい。
【００５６】
発熱材５２Ｍは、ガス状の作動媒体を吸着するときに作動媒体の相変化に伴って発生する潜熱により熱を発生する。発熱材５２Ｍとしては、例えば、所謂、金属有機構造体（ＭＯＦ：Metal Organic Framework）を用いることができる。
【００５７】
凝縮器５３は、第２熱交換器３４Ｂとの間で熱交換可能なように第２熱交換器３４Ｂに隣接して配設されている。
【００５８】
第１媒体通路６１乃至第４媒体通路６４は、それぞれ、作動媒体を流すための通路である。第１媒体通路６１は、貯留器５１の媒体出口を発熱器５２の媒体入口に接続している。第２媒体通路６２は、発熱器５２の媒体出口を凝縮器５３の媒体入口に接続している。第３媒体通路６３は、凝縮器５３の媒体出口を媒体輸送ポンプ５４の媒体取込口に接続している。第４媒体通路６４は、媒体輸送ポンプ５４の媒体吐出口を貯留器５１の媒体入口に接続している。
【００５９】
本例においては、貯留器５１の内部空間、第１媒体通路６１、発熱器５２の内部空間、第２媒体通路６２、凝縮器５３の内部空間、第３媒体通路６３、媒体輸送ポンプ５４の内部空間、及び、第４媒体通路６４によって形成される空間は、真空に近い閉空間として形成されている。
【００６０】
媒体供給弁５５は、第１媒体通路６１に配設されている。媒体回収弁５６は、第２媒体通路６２に配設されている。媒体輸送弁５７は、第４媒体通路６４に配設されている。
【００６１】
媒体輸送ポンプ５４、媒体供給弁５５、媒体回収弁５６及び媒体輸送弁５７は、ＥＣＵ９０に電気的に接続されている。媒体輸送ポンプ５４の作動は、ＥＣＵ９０によって制御される。媒体輸送ポンプ５４は、バッテリ１２０から供給される電力により作動される。媒体供給弁５５、媒体回収弁５６及び媒体輸送弁５７の設定位置は、ＥＣＵ９０によって制御される。ＥＣＵ９０による媒体輸送ポンプ５４の作動、並びに、媒体供給弁５５、媒体回収弁５６及び媒体輸送弁５７の設定位置の制御については、後述する。
【００６２】
＜冷暖房スイッチ＞
冷暖房スイッチ９２は、ＥＣＵ９０に電気的に接続されている。冷暖房スイッチ９２は、車両の運転者により操作されるスイッチである。
【００６３】
冷暖房スイッチ９２が運転者によりオ暖房位置に設定されている場合、冷暖房スイッチ９２は、車両１００の室内空間１０１の暖房が要求されていることを表す信号をＥＣＵ９０に送信する。ＥＣＵ９０は、車両１００の室内空間１０１の暖房が要求されていることを表す信号している場合、運転者により車両１００の室内空間１０１の暖房が要求されていると判断する。
【００６４】
一方、冷暖房スイッチ９２が運転者によりオ冷房位置に設定されている場合、冷暖房スイッチ９２は、車両１００の室内空間１０１の冷房が要求されていることを表す信号をＥＣＵ９０に送信する。ＥＣＵ９０は、車両１００の室内空間１０１の冷房が要求されていることを表す信号している場合、運転者により車両１００の室内空間１０１の冷房が要求されていると判断する。
【００６５】
更に、冷暖房スイッチ９２が運転者によりオフ位置に設定されている場合、冷暖房スイッチ９２は、車両１００の室内空間１０１の暖房も冷房も要求されていないことを表す信号をＥＣＵ９０に送信する。ＥＣＵ９０は、車両１００の室内空間１０１の暖房も冷房も要求されていないことを表す信号を受信している場合、運転者により車両の室内空間１０１の暖房も冷房も要求されていないと判断する。
【００６６】
＜コア入水温センサ＞
コア入水温センサ９３は、ＥＣＵ９０に電気的に接続されている。コア入水温センサ９３は、第２暖房水路２２を流れる熱交換水（即ち、暖房熱交換器１２の内部水路の熱交換水出口から流出してヒータコア１１の内部水路に流入する熱交換水）の温度を検出することができるように配設されている。コア入水温センサ９３は、検出した熱交換水の温度を表す信号をＥＣＵ９０に送信する。ＥＣＵ９０は、コア入水温センサ９３から受信した信号に基づいて第２暖房水路２２を流れる熱交換水の温度をコア入水温Ｔｗとして取得する。
【００６７】
＜ブロア＞
ブロア７０は、ヒータコア１１及びエバポレータ３３に空気を当てることができるようにヒータコア１１及びエバポレータ３３に近接して配設されている。ブロア７０は、ＥＣＵ９０に電気的に接続されている。ブロア７０の作動は、ＥＣＵ９０によって制御される。ブロア７０は、バッテリ１２０から供給される電力により作動される。ＥＣＵ９０によるブロア７０の作動の制御については、後述する。
【００６８】
＜実施装置の作動の概要＞
車両１００の室内空間１０１の暖房が要求された場合、実施装置は、第１膨張弁３６Ａを減圧状態に設定し且つ第２膨張弁３６Ｂを非減圧状態に設定し、第１遮断弁３５Ａを開弁位置に設定し且つ第２遮断弁３５Ｂを閉弁位置に設定し、コンプレッサ３１、ファン３８及び暖房ポンプ１３を作動させる。加えて、実施装置は、媒体供給弁５５を開弁位置に設定する。このとき、実施装置は、媒体回収弁５６及び媒体輸送弁５７をそれぞれ閉弁位置に設定した状態を維持し、媒体輸送ポンプ５４の作動を停止させた状態を維持する。
【００６９】
これにより、熱交換水、冷媒及び作動媒体は、図７に示したように流れる。図７に示した熱交換水の流れは、図４を参照して説明した流れと同じであり、図７に示した冷媒の流れは、図５を参照して説明した流れと同じである。
【００７０】
冷媒は、コンプレッサ３１によって加圧されることにより高圧で且つ高温の冷媒となり、第１冷媒通路４１を介してコンデンサ３２の内部通路に流入する。その冷媒の熱により第４暖房水路２４を流れる熱交換水が加熱される。その後、高圧で且つ高温の冷媒は、第２冷媒通路４２を介して第１熱交換器３４Ａの内部通路に流入する。その冷媒の熱により貯留器５１が加熱される。
【００７１】
本例においては、媒体供給弁５５が開弁位置に設定されたとき、貯留器５１内のガス状の作動媒体の圧力（以下、「貯留器５１内の媒体圧力Ｐ５１」と称呼する。）は、発熱器５２内のガス状の作動媒体の圧力（以下、「発熱器５２内の媒体圧力Ｐ５２」と称呼する。）よりも高くなっている。このため、ガス状の作動媒体は、貯留器５１から第１媒体通路６１を介して発熱器５２に流入する。
【００７２】
その後、一定の期間は、以下に述べる状況（１）乃至状況（３）が継続するので、発熱器５２内の媒体圧力Ｐ５２よりも貯留器５１内の媒体圧力Ｐ５１のほうが高い状態が維持され、その結果、ガス状の作動媒体が貯留器５１から発熱器５２に流入し続ける。
【００７３】
状況（１）：ガス状の作動媒体が発熱器５２に向かって貯留器５１から流出すると、貯留器５１内の液状の作動媒体が蒸発し、ガス状の作動媒体が生成される。
状況（２）：発熱器５２に流入したガス状の作動媒体は、液状の作動媒体となって発熱材５２Ｍに吸着する。
状況（３）：発熱材５２Ｍから放出されるガス状の作動媒体の量よりも、発熱材５２Ｍに吸着されるガス状の作動媒体の量のほうが多い。
【００７４】
発熱器５２に流入したガス状の作動媒体は、発熱材５２Ｍに吸着する。これにより、発熱材５２Ｍが熱を発生する。発熱材５２Ｍが発生した熱は、暖房熱交換器１２の内部水路を流れる熱交換水に伝達される。これにより、暖房熱交換器１２の内部水路を流れる熱交換水が加熱される。その加熱されて温度の高くなった熱交換水は、ヒータコア１１の内部水路に流入する。
【００７５】
第１熱交換器３４Ａの内部通路から第３冷媒通路４３に流出した冷媒は、第１膨張弁３６Ａを通過するときに減圧される。これにより、冷媒は、低圧で且つ低温の冷媒となり、ラジエータ３７の内部水路に流入する。冷媒は、ラジエータ３７の内部水路を流れる間にファン３８によってラジエータ３７に当てられる空気（外気）から熱を吸収する。これにより、冷媒の温度が上昇する。
【００７６】
冷媒は、ラジエータ３７の内部流路を流れた後、第４冷媒通路４４に流出する。その冷媒は、第４冷媒通路４４及び第５冷媒通路４５を介して第２熱交換器３４Ｂの内部通路に流入する。その冷媒は、第２熱交換器３４Ｂの内部通路を流れた後、第６冷媒通路４６に流出する。その冷媒は、第６冷媒通路４６及び第９冷媒通路４９を介してコンプレッサ３１に取り込まれる。
【００７７】
室内空間１０１の暖房が要求された後、発熱材５２Ｍが熱を発生している間、コア入水温Ｔｗは、徐々に上昇する。そして、コア入水温Ｔｗが所定の温度Ｔw_blow（以下、「ブロア作動水温Ｔw_blow」と称呼する。）に達した場合、実施装置は、ブロア７０を作動させる。これにより、ブロア７０からヒータコア１１に供給される空気が暖められ、その暖められた空気が室内空間１０１に供給され、室内空間１０１が暖房される。
【００７８】
その後も、発熱材５２Ｍが熱を発生しているので、コア入水温Ｔｗは、徐々に上昇する。そして、コア入水温Ｔｗが所定の温度Ｔw_recover（以下、「媒体回収水温Ｔw_recover」と称呼する。）に達した場合、実施装置は、媒体供給弁５５を閉弁位置に設定すると共に媒体回収弁５６を開弁位置に設定する。本例において、媒体回収水温Ｔw_recoverは、上記ブロア作動水温Ｔw_blowよりも高い温度であって、発熱材温度Ｔｍが先に述べた或る温度Ｔｍ_crossよりも高い温度Ｔm_recover（図３を参照。）であるときのコア入水温Ｔｗである。
【００７９】
媒体供給弁５５が閉弁位置に設定され且つ媒体回収弁５６が開弁位置に設定されると、作動媒体は、図８に示したように流れる。即ち、発熱材温度Ｔｍが媒体回収温度Ｔm_recoverに達していると、発熱材５２Ｍからの作動媒体の放出速度が発熱材５２Ｍへの作動媒体の吸着速度よりも大きくなっている。従って、発熱材５２Ｍに吸着されるガス状の作動媒体の量よりも、発熱材５２Ｍから放出されるガス状の作動媒体の量のほうが多くなる。このため、媒体回収弁５６が開弁位置に設定されたとき、発熱器５２内の媒体圧力Ｐ５２は、凝縮器５３内のガス状の作動媒体の圧力（以下、「凝縮器５３内の媒体圧力Ｐ５３」と称呼する。）よりも高くなっている。このため、ガス状の作動媒体は、発熱器５２から第２媒体通路６２を介して凝縮器５３に流入する。
【００８０】
その後、一定の期間は、以下に述べる状況（４）乃至（６）が継続するので、凝縮器５３内の媒体圧力Ｐ５３よりも発熱器５２内の媒体圧力Ｐ５２のほうが高い状態が維持され、その結果、ガス状の作動媒体が発熱器５２から凝縮器５３に流入し続ける。
【００８１】
状況（４）：ガス状の作動媒体が凝縮器５３に向かって発熱器５２から流出すると、発熱材５２Ｍに吸着している液状の作動媒体が発熱材５２Ｍから放出され、ガス状の作動媒体が生成される。
状況（５）：凝縮器５３に流入したガス状の作動媒体は、その熱を第２熱交換器３４Ｂを介して冷媒に放出して凝縮し、液状の作動媒体に変化する。
状況（６）：発熱材５２Ｍに吸着されるガス状の作動媒体の量よりも、発熱材５２Ｍから放出されるガス状の作動媒体の量のほうが多い。
【００８２】
媒体回収弁５６を開弁位置に設定してから所定の時間Ｔr_end（以下、「媒体回収完了時間Ｔr_end」と称呼する。）が経過した場合、実施装置は、媒体回収弁５６を閉弁位置に設定と共に媒体輸送弁５７を開弁位置に設定し、更に、媒体輸送ポンプ５４を作動させる。これにより、凝縮器５３内の液状の作動媒体が、図９に示したように、媒体輸送ポンプ５４によって貯留器５１に輸送される。
【００８３】
本例において、上記媒体回収完了時間Ｔr_endは、所定量以上のガス状の作動媒体が発熱器５２から凝縮器５３に回収されるのに十分な時間に設定されている。
【００８４】
室内空間１０１の暖房が要求されたときにヒートポンプ装置３０のみによってヒータコア１１の内部水路に供給される熱交換水を加熱するようになっている場合、ヒータコア１１の温度を、室内空間１０１の暖房を開始するのに望ましい温度（即ち、ブロア作動水温Ｔw_blowに対応するヒータコア１１の温度であり、以下、「暖房開始温度Ｔh_start」と称呼する。）まで短い時間で上昇させるためには、コンプレッサ３１の出力を大きくする必要がある。コンプレッサ３１の出力を大きくするためには、大きな電力をコンプレッサ３１に供給する必要がある。これによると、ヒータコア１１の温度（以下、「コア温度Ｔcore」と称呼する。）を暖房開始温度Ｔh_startまで上昇させるためにコンプレッサ３１の作動に消費される電量の量が大きくなってしまう。
【００８５】
一方、実施装置によれば、室内空間１０１の暖房が要求された場合、発熱材温度Ｔｍが媒体回収温度Ｔm_recoverに達するまでの間、貯留器５１と発熱器５２とが連通される。貯留器５１と発熱器５２とが連通されると、ガス状の作動媒体が貯留器５１から発熱器５２に供給される。そして、発熱材温度Ｔｍが媒体回収温度Ｔm_recoverに達するまで、貯留器５１から発熱器５２へのガス状の作動媒体の流入と、発熱材５２Ｍへのガス状の作動媒体の吸着と、が継続し、その結果、発熱材５２Ｍが熱を発生し続ける。従って、貯留器５１と発熱器５２とが連通されている間、ヒータコア１１の内部水路には、ヒートポンプ装置３０と発熱材５２Ｍとの両方によって加熱された熱交換水が供給される。
【００８６】
このため、コア温度Ｔcoreを暖房開始温度Ｔh_startまで短い時間で上昇させるためにコンプレッサ３１の出力を大きくする必要はない。従って、室内空間１０１を暖房するためのコンプレッサ３１の作動に消費される電力の量を小さくすることができる。
【００８７】
又、作動媒体を凝縮器５３から貯留器５１に輸送するために媒体輸送ポンプ５４が作動されるが、媒体輸送ポンプ５４の作動に消費される電力の量は、ヒートポンプ装置３０のみによってヒータコア１１の内部水路に供給される熱交換水を加熱することによりコア温度Ｔcoreを暖房開始温度Ｔh_startまで短い時間で上昇させるためにコンプレッサ３１の出力を大きくしたときのコンプレッサ３１の作動に消費される電力の増大量よりも小さい。このため、コア温度Ｔcoreを暖房開始温度Ｔh_startまで上昇させるために消費されるトータルの電力の量も小さくすることができる。
【００８８】
更に、発熱材５２Ｍにガス状の作動媒体が供給されている間、発熱材温度Ｔｍは、暖房熱交換器１２の内部水路に流入する熱交換液の温度よりも高く、発熱材温度Ｔｍと暖房熱交換器１２の内部水路に流入する熱交換液の温度との差は比較的大きい。このため、発熱材５２Ｍが発生する熱は、効率良く、暖房熱交換器１２の内部水路に流入する熱交換液に伝達される。従って、発熱材５２Ｍが発生する熱が、効率良く、コア入水温Ｔｗの上昇率を大きくするのに利用される。
【００８９】
尚、先の説明から理解されるように、発熱材５２Ｍの量及び貯留器５１に貯留する作動媒体の量は、少なくとも、媒体供給弁５５が開弁位置に設定されている間におけるコア入水温Ｔｗの上昇率が第１熱交換器３４Ａから貯留器５１への熱伝達がない場合（即ち、発熱装置５０が設けられていない場合）におけるコア入水温Ｔｗの上昇率よりも大きくなる程度の量の熱を発熱材５２Ｍが発生できるように決定される。
【００９０】
又、貯留器５１から発熱器５２へのガス状の作動媒体の供給が開始された後、凝縮器５３から貯留器５１への作動媒体の輸送が完了する前に冷暖房スイッチ９２がオフ位置又は冷房位置に設定された場合でも、実施装置は、貯留器５１から発熱器５２へのガス状の作動媒体の供給、発熱器５２から凝縮器５３へのガス状の作動媒体の回収、及び、凝縮器５３から貯留器５１への液状の作動媒体の輸送の総てを完了させるように構成されている。
【００９１】
＜実施装置の具体的な作動＞
次に、実施装置の具体的な作動について説明する。実施装置のＥＣＵ９０のＣＰＵは、図１０にフローチャートにより示したルーチンを所定時間の経過毎に実行するようになっている。従って、所定のタイミングになると、ＣＰＵは、図１０のステップ１０００から処理を開始してステップ１００５に進み、暖房要求フラグＸｈの値が「１」であるか否かを判定する。暖房要求フラグＸｈの値は、冷暖房スイッチ９２が暖房位置に設定された場合、「１」に設定され、冷暖房スイッチ９２がオフ位置又は冷房位置に設定された場合、「０」に設定される。
【００９２】
暖房要求フラグＸｈの値が「１」である場合、ＣＰＵは、ステップ１００５にて「Ｙｅｓ」と判定し、以下に述べるステップ１０１０の処理を行う。その後、ＣＰＵは、ステップ１０２０に進む。
【００９３】
ステップ１０１０：ＣＰＵは、コンプレッサ３１及び暖房ポンプ１３を作動させる。このとき、コンプレッサ３１が既に作動している状態にある場合、ＣＰＵは、コンプレッサ３１が作動している状態を継続する。又、暖房ポンプ１３が既に作動している状態にある場合、ＣＰＵは、暖房ポンプ１３が作動している状態を継続する。
【００９４】
一方、暖房要求フラグＸｈの値が「０」である場合、ＣＰＵは、ステップ１００５にて「Ｎｏ」と判定し、以下に述べるステップ１０１５の処理を行う。その後、ＣＰＵは、ステップ１０２０に進む。
【００９５】
ステップ１０１５：ＣＰＵは、コンプレッサ３１、暖房ポンプ１３及びブロア７０の作動を停止させる。このとき、コンプレッサ３１の作動が停止した状態にある場合、ＣＰＵは、コンプレッサ３１が停止した状態を維持する。又、暖房ポンプ１３が停止した状態にある場合、ＣＰＵは、暖房ポンプ１３が停止した状態を維持する。又、ブロア７０の作動が停止した状態にある場合、ＣＰＵは、ブロア７０が停止した状態を維持する。
【００９６】
ＣＰＵは、ステップ１０２０に進むと、媒体供給完了フラグＸs_endの値が「０」であるか否かを判定する。媒体供給完了フラグＸs_endの値は、発熱材温度Ｔｍが媒体回収温度Ｔm_recoverに達した場合、即ち、ＣＰＵが後述するステップ１０２５にて「Ｎｏ」と判定した場合、「１」に設定される。一方、媒体供給完了フラグＸs_endの値は、凝縮器５３から貯留器５１への作動媒体の輸送が完了し且つ冷暖房スイッチ９２がオフ位置又は冷房位置に設定されている場合、即ち、ＣＰＵが後述する図１２のステップ１２１０にて「Ｎｏ」と判定し且つステップ１２８０にて「Ｙｅｓ」と判定した場合、「０」に設定される。
【００９７】
媒体供給完了フラグＸs_endの値が「０」である場合、ＣＰＵは、ステップ１０２０にて「Ｙｅｓ」と判定してステップ１０２５に進み、コア入水温Ｔｗが媒体回収水温Ｔw_recoverよりも低いか否かを判定する。
【００９８】
コア入水温Ｔｗが媒体回収水温Ｔw_recoverよりも低い場合、ＣＰＵは、ステップ１０２５にて「Ｙｅｓ」と判定し、以下に述べるステップ１０３０の処理を行う。その後、ＣＰＵは、ステップ１０３５に進む。
【００９９】
ステップ１０３０：ＣＰＵは、媒体供給弁５５を開弁位置に設定する。このとき、媒体供給弁５５が既に開弁位置に設定された状態にある場合、ＣＰＵは、媒体供給弁５５が開弁位置に設定された状態を維持する。尚、このとき、媒体回収弁５６及び媒体輸送弁５７は、閉弁位置に設定された状態にある。
【０１００】
ＣＰＵは、ステップ１０３５に進むと、コア入水温Ｔｗがブロア作動水温Ｔw_blowよりも低いか否かを判定する。
【０１０１】
コア入水温Ｔｗがブロア作動水温Ｔw_blowよりも低い場合、ＣＰＵは、ステップ１０３５にて「Ｙｅｓ」と判定し、以下に述べるステップ１０４０の処理を行う。その後、ＣＰＵは、ステップ１０９５に進み、本ルーチンを一旦終了する。
【０１０２】
ステップ１０４０：ＣＰＵは、ブロア７０の作動を停止させる。このとき、ブロア７０の作動が停止した状態にある場合、ＣＰＵは、ブロア７０の作動が停止した状態を維持する。
【０１０３】
一方、コア入水温Ｔｗがブロア作動水温Ｔw_blow以上である場合、ＣＰＵは、ステップ１０３５にて「Ｎｏ」と判定してステップ１０４５に進み、暖房要求フラグＸｈの値が「１」であるか否かを判定する。
【０１０４】
暖房要求フラグＸｈの値が「１」である場合、ＣＰＵは、ステップ１０４５にて「Ｙｅｓ」と判定し、以下に述べるステップ１０５０の処理を行う。その後、ＣＰＵは、ステップ１０９５に進み、本ルーチンを一旦終了する。
【０１０５】
ステップ１０５０：ＣＰＵは、ブロア７０を作動させる。このとき、ブロア７０が既に作動した状態にある場合、ＣＰＵは、ブロア７０が作動した状態を維持する。
【０１０６】
一方、暖房要求フラグＸｈの値が「０」である場合、ＣＰＵは、ステップ１０４５にて「Ｎｏ」と判定してステップ１０９５に進み、本ルーチンを一旦終了する。
【０１０７】
ＣＰＵがステップ１０２５の処理を実行する時点においてコア入水温Ｔｗが媒体回収水温Ｔw_recover以上である場合、ＣＰＵは、ステップ１０２５にて「Ｎｏ」と判定し、以下に述べるステップ１０５５及びステップ１０６０の処理を順に行う。その後、ＣＰＵは、ステップ１０９５に進み、本ルーチンを一旦終了する。
【０１０８】
ステップ１０５５：ＣＰＵは、媒体供給弁５５を閉弁位置に設定する。
【０１０９】
ステップ１０６０：ＣＰＵは、媒体供給完了フラグＸs_endの値を「１」に設定する。
【０１１０】
ＣＰＵがステップ１０２０の処理を実行する時点において媒体供給完了フラグＸs_endの値が「１」である場合、ＣＰＵは、ステップ１０２０にて「Ｎｏ」と判定してステップ１０９５に進み、本ルーチンを一旦終了する。
【０１１１】
更に、ＣＰＵは、図１１にフローチャートにより示したルーチンを所定時間の経過毎に実行するようになっている。従って、所定のタイミングになると、ＣＰＵは、図１１のステップ１１００から処理を開始してステップ１１１０に進み、媒体供給完了フラグＸs_endの値が「１」であり且つ媒体回収完了フラグＸr_endの値が「０」であるか否かを判定する。
【０１１２】
媒体回収完了フラグＸr_endの値は、発熱器５２から凝縮器５３への作動媒体の回収が完了した場合、即ち、ＣＰＵが後述するステップ１１２０にて「Ｎｏ」と判定した場合、「１」に設定される。一方、媒体回収完了フラグＸr_endの値は、凝縮器５３から貯留器５１への作動媒体の輸送が完了し且つ冷暖房スイッチ９２がオフ位置又は冷房位置に設定された場合、即ち、ＣＰＵが後述する図１２のステップ１２１０にて「Ｎｏ」と判定し且つステップ１２８０にて「Ｙｅｓ」と判定した場合、「０」に設定される。
【０１１３】
媒体供給完了フラグＸs_endの値が「１」であり且つ媒体回収完了フラグＸr_endの値が「０」である場合、ＣＰＵは、ステップ１１１０にて「Ｙｅｓ」と判定してステップ１１２０に進み、媒体回収弁５６を開弁位置に設定してから経過した時間Ｔｒ（以下、「経過時間Ｔｒ」と称呼する。）、即ち、発熱器５２から凝縮器５３への作動媒体の回収を開始してから経過した時間Ｔｒが媒体回収完了時間Ｔr_endよりも短いか否かを判定する。
【０１１４】
経過時間Ｔｒが媒体回収完了時間Ｔr_endよりも短い場合、ＣＰＵは、ステップ１１２０にて「Ｙｅｓ」と判定し、以下に述べるステップ１１３０の処理を行う。その後、ＣＰＵは、ステップ１１９５に進み、本ルーチンを一旦終了する。
【０１１５】
ステップ１１３０：ＣＰＵは、媒体回収弁５６を開弁位置に設定する。このとき、媒体回収弁５６が既に開弁位置に設定された状態にある場合、ＣＰＵは、媒体回収弁５６が開弁位置に設定された状態を維持する。尚、このとき、媒体供給弁５５及び媒体輸送弁５７は、閉弁位置に設定された状態にある。
【０１１６】
一方、経過時間Ｔｒが媒体回収完了時間Ｔr_end以上である場合、ＣＰＵは、ステップ１１２０にて「Ｎｏ」と判定し、以下に述べるステップ１１４０及びステップ１１５０の処理を順に行う。その後、ＣＰＵは、ステップ１１９５に進み、本ルーチンを一旦終了する。
【０１１７】
ステップ１１４０：ＣＰＵは、媒体回収弁５６を閉弁位置に設定する。
【０１１８】
ステップ１１５０：ＣＰＵは、媒体回収完了フラグＸr_endの値を「１」に設定する。
【０１１９】
ＣＰＵがステップ１１１０の処理を実行する時点において媒体供給完了フラグＸs_endの値が「０」であるか或いは媒体回収完了フラグＸr_endの値が「１」である場合、ＣＰＵは、ステップ１１１０にて「Ｎｏ」と判定してステップ１１９５に進み、本ルーチンを一旦終了する。
【０１２０】
更に、ＣＰＵは、図１２にフローチャートにより示したルーチンを所定時間の経過毎に実行するようになっている。従って、所定のタイミングになると、ＣＰＵは、図１２のステップ１２００から処理を開始してステップ１２１０に進み、媒体回収完了フラグＸr_endの値が「１」であり且つ媒体輸送完了フラグＸt_endの値が「０」であるか否かを判定する。
【０１２１】
媒体輸送完了フラグＸt_endの値は、凝縮器５３から貯留器５１への作動媒体の輸送が完了した場合、即ち、ＣＰＵが後述するステップ１２２０にて「Ｎｏ」と判定した場合、「１」に設定される。一方、媒体輸送完了フラグＸt_endの値は、凝縮器５３から貯留器５１への作動媒体の輸送が完了し且つ冷暖房スイッチ９２がオフ位置又は冷房位置に設定されている場合、即ち、ＣＰＵがステップ１２１０にて「Ｎｏ」と判定し且つ後述するステップ１２８０にて「Ｙｅｓ」と判定した場合、「０」に設定される。
【０１２２】
媒体回収完了フラグＸr_endの値が「１」であり且つ媒体輸送完了フラグＸt_endの値が「０」である場合、ＣＰＵは、ステップ１２１０にて「Ｙｅｓ」と判定してステップ１２２０に進み、媒体輸送弁５７を開弁位置に設定してから経過した時間Ｔｔ、即ち、凝縮器５３から貯留器５１への作動媒体の輸送を開始してから経過した時間Ｔｔ（以下、「経過時間Ｔｔ」と称呼する。）が媒体輸送完了時間Ｔt_endよりも短いか否かを判定する。
【０１２３】
本例において、上記媒体輸送完了時間Ｔt_endは、所定量以上の作動媒体を凝縮器５３から貯留器５１に輸送するのに十分な時間に設定されている。
【０１２４】
経過時間Ｔｔが媒体輸送完了時間Ｔt_endよりも短い場合、ＣＰＵは、ステップ１２２０にて「Ｙｅｓ」と判定し、以下に述べるステップ１２３０及びステップ１２４０の処理を順に行う。その後、ＣＰＵは、ステップ１２９５に進み、本ルーチンを一旦終了する。
【０１２５】
ステップ１２３０：ＣＰＵは、媒体輸送弁５７を開弁位置に設定する。このとき、媒体輸送弁５７が既に開弁位置に設定された状態にある場合、ＣＰＵは、媒体輸送弁５７が開弁位置に設定された状態を維持する。尚、このとき、媒体供給弁５５及び媒体回収弁５６は、閉弁位置に設定された状態にある。
【０１２６】
ステップ１２４０：ＣＰＵは、媒体輸送ポンプ５４を作動させる。このとき、媒体輸送ポンプ５４が既に作動した状態にある場合、ＣＰＵは、媒体輸送ポンプ５４が作動した状態を維持する。
【０１２７】
一方、経過時間Ｔｔが媒体輸送完了時間Ｔt_end以上である場合、ＣＰＵは、ステップ１２２０にて「Ｎｏ」と判定し、以下に述べるステップ１２５０乃至ステップ１２７０の処理を順に行う。その後、ＣＰＵは、ステップ１２９５に進み、本ルーチンを一旦終了する。
【０１２８】
ステップ１２５０：ＣＰＵは、媒体輸送ポンプ５４の作動を停止させる。
【０１２９】
ステップ１２６０：ＣＰＵは、媒体輸送弁５７を閉弁位置に設定する。
【０１３０】
ステップ１２７０：ＣＰＵは、媒体輸送完了フラグＸt_endの値を「１」に設定する。
【０１３１】
ＣＰＵがステップ１２１０の処理を実行する時点において媒体回収完了フラグＸr_endの値が「０」であるか或いは媒体輸送完了フラグＸt_endの値が「１」である場合、ＣＰＵは、ステップ１２１０にて「Ｎｏ」と判定してステップ１２８０に進み、暖房要求フラグＸｈの値が「０」であるか否かを判定する。
【０１３２】
暖房要求フラグＸｈの値が「０」である場合、ＣＰＵは、ステップ１２８０にて「Ｙｅｓ」と判定し、以下に述べるステップ１２９０の処理を行う。その後、ＣＰＵは、ステップ１２９５に進み、本ルーチンを一旦終了する。
【０１３３】
ステップ１２９０：ＣＰＵは、媒体供給完了フラグＸs_end、媒体回収完了フラグＸr_end及び媒体輸送完了フラグＸt_endの値をそれぞれ「０」に設定する。
【０１３４】
一方、暖房要求フラグＸｈの値が「１」である場合、ＣＰＵは、ステップ１２８０にて「Ｎｏ」と判定してステップ１２９５に進み、本ルーチンを一旦終了する。
【０１３５】
以上が実施装置の具体的な作動である。これによれば、室内空間１０１の暖房が要求された場合、コア入水温Ｔｗが媒体回収水温Ｔw_recoverに達するまでの間、ヒータコア１１の内部水路には、ヒートポンプ装置３０と発熱材５２Ｍとの両方によって加熱された熱交換水が供給される。このため、室内空間１０１を暖房するためのコンプレッサ３１の作動に消費される電力の量を大きくすることなく、コア温度Ｔcoreを暖房開始温度Ｔh_startまで短い時間で上昇させることができる。
【０１３６】
尚、本発明は、上記実施形態に限定されることはなく、本発明の範囲内において種々の変形例を採用することができる。
【０１３７】
例えば、実施装置は、発熱器５２から凝縮器５３への作動媒体の回収を終了した直後に、凝縮器５３から貯留器５１への作動媒体の輸送を行っている。しかしながら、実施装置は、発熱器５２から凝縮器５３への作動媒体の回収を終了した後であって、冷暖房スイッチ９２がオフ位置又は冷房位置に設定された後、冷暖房スイッチ９２が再び暖房位置に設定されるまでの間に、凝縮器５３から貯留器５１への作動媒体の輸送を完了させるようにも構成され得る。
【符号の説明】
【０１３８】
１０…暖房装置、１１…ヒータコア、３０…ヒートポンプ装置、３１…コンプレッサ、３２…コンデンサ、３４Ａ…第１熱交換器、３４Ｂ…第２熱交換器、５０…発熱装置、５１…貯留器、５２…発熱器、５２Ｍ…発熱材、５３…凝縮器、９０…ＥＣＵ、１００…車両、１０１…室内空間
【図１】
2020063021.tif 000003
【図２】
2020063021.tif 000004
【図３】
2020063021.tif 000005
【図４】
2020063021.tif 000006
【図５】
2020063021.tif 000007
【図６】
2020063021.tif 000008
【図７】
2020063021.tif 000009
【図８】
2020063021.tif 000010
【図９】
2020063021.tif 000011
【図１０】
2020063021.tif 000012
【図１１】
2020063021.tif 000013
【図１２】
2020063021.tif 000014